(57)【要約】【課題】  従来の表示装置では、ホールド状態からホールド解除状態へ切り換える際、表示装置を持ち替える手間が発生して、迅速に切り換えることができないことがあった。【解決手段】  ロック状態になっているときにモニタ３の表示領域に対してタッチ操作が行われると、ＣＰＵ２１は、Ｓ４で、タッチ操作によって入力される情報を認識し、Ｓ５で、認識した情報と予め不揮発性メモリ２２に記録されている図形の「○」の特定の情報との比較を行う。この比較の結果が一致する場合、ＣＰＵ２１は、Ｓ７でロック状態からロック解除状態に切り換える処理を行う。この結果、モニタ３の表示領域に対するタッチ操作により、各ボタン５〜１１に対するタッチ操作を有効化させることが可能となる。【選択図】  図３
2014063541.tif 000002
【特許請求の範囲】
【請求項１】
表示手段と、
前記表示手段の表示領域に設けられた所定のボタンに対するタッチ操作を非有効化する前記表示領域の外に設けられた操作非有効設定ボタンと、
ユーザによって予め登録されている所定の情報を前記表示領域に入力する入力手段と、
前記表示領域に前記所定の情報が入力されると、前記所定のボタンに対するタッチ操作を有効化する操作有効設定手段と
を備えていることを特徴とする表示装置。
【請求項２】
請求項１に記載の表示装置において、
装置機能を作動させる機能作動手段をさらに備え、
前記所定のボタンは、前記装置機能を作動させるボタンであることを特徴とする表示装置。
【請求項３】
請求項１または請求項２に記載の表示装置において、
前記操作非有効設定ボタンは、電源スイッチであることを特徴とする表示装置。
【請求項４】
請求項１から請求項３のいずれか１項に記載の表示装置において、
前記所定の情報は、予め定められた文字、図形もしくは記号の少なくともいずれかをタッチ操作によって入力される情報であることを特徴とする表示装置。
【請求項５】
請求項１から請求項３のいずれか１項に記載の表示装置において、
前記所定の情報は、予め定められた文字、図形もしくは記号の少なくともいずれかを前記表示領域に描くタッチ操作によって入力される情報であることを特徴とする表示装置。
【請求項６】
請求項５に記載の表示装置において、
前記所定の情報は、前記予め定められた文字、図形もしくは記号の少なくともいずれかを、予め定められた大きさ、速さもしくは描き順で前記表示領域に描くタッチ操作によって入力される情報であることを特徴とする表示装置。
【請求項７】
請求項１から請求項６のいずれか１項に記載の表示装置において、
前記表示領域に対する任意のタッチ操作によって入力される情報を前記所定の情報として記録する記録手段と、
前記入力手段に入力された情報と前記記録手段に記録された前記所定の情報とを比較する比較手段とを備え、
前記操作有効設定手段は、前記比較手段による比較の結果が前記所定の情報と一致した場合に前記所定のボタンに対するタッチ操作を有効化することを特徴とする表示装置。
【請求項８】
請求項７に記載の表示装置において、
前記記録手段は、複数種類の所定の情報を複数種類の前記装置機能にそれぞれ関連付けて記録し、
前記比較手段は、前記入力手段に入力された情報と前記記録手段に記録された前記複数種類の所定の情報と比較し、
前記操作有効設定手段は、前記比較手段による比較の結果が一致した種類の前記所定の情報に関連付けて前記記録手段に記録されている前記装置機能を作動させるボタンに対するタッチ操作を有効化することを特徴とする表示装置。
【請求項９】
請求項１から請求項８のいずれか１項に記載の表示装置において、
前記所定のボタンに対するタッチ操作が有効化された状態から前記操作非有効設定ボタンによって前記所定のボタンに対するタッチ操作が非有効化された状態に切り換えられると、前記表示領域の表示態様を異ならせる表示制御を行う表示制御手段を備えていることを特徴とする表示装置。
【請求項１０】
請求項９に記載の表示装置において、
前記表示制御手段は、前記所定のボタンの表示色、もしくは前記表示領域に対する前記所定のボタンのコントラストを異ならせ、または、前記所定のボタンを前記表示領域に表示させないことで、前記表示制御を行うことを特徴とする表示装置。
【請求項１１】
請求項１から請求項１０のいずれか１項に記載の表示装置において、
前記所定のボタンに対するタッチ操作が行われずに所定時間が経過すると、前記所定のボタンに対するタッチ操作を有効化した状態から非有効化した状態に切り換えることを特徴とする表示装置。
【発明の詳細な説明】
【技術分野】
【０００１】
本発明は、タッチパネルを配置した表示装置に関するものである。
【背景技術】
【０００２】
従来、このような表示装置としては、例えば、特許文献１に開示されるカメラ機能付き携帯型プレーヤがある。この装置の筐体表面にはタッチパネルが設けられており、裏面には、撮像モジュールとしてカメラレンズが設けられている。このような表示装置は、所定の操作により、タッチパネルに対する入力操作を無効にするホールド状態と、タッチパネルに対する入力操作を有効にするホールド解除状態とが切り換えられる。タッチパネルに対して入力操作をしないときはホールド状態に切り換えておくことで、タッチパネルが不用意に操作されて操作者の意図しない装置機能が作動してしまうことを防止することができる。
【先行技術文献】
【特許文献】
【０００３】
【特許文献１】特開２００６−１０７１９４号公報
【発明の概要】
【発明が解決しようとする課題】
【０００４】
しかしながら、上記従来の表示装置では、ホールド状態からホールド解除状態への切り換えは、タッチパネルから離れた筐体上面に設けられた電源スイッチを操作して行う必要がある。このため、上記従来の表示装置では、この切り換えを行う場合、その都度指をタッチパネルから電源スイッチまで移動させなければならない。よって、上記従来の表示装置では、ホールド状態からホールド解除状態へ切り換える際、表示装置を持ち替える手間が発生して、迅速に切り換えることができないことがあった。
【課題を解決するための手段】
【０００５】
本発明はこのような課題を解決するためになされたもので、
表示手段と、
前記表示手段の表示領域に設けられた所定のボタンに対するタッチ操作を非有効化する前記表示領域の外に設けられた操作非有効設定ボタンと、
ユーザによって予め登録されている所定の情報を前記表示領域に入力する入力手段と、
前記表示領域に前記所定の情報が入力されると、前記所定のボタンに対するタッチ操作を有効化する操作有効設定手段と
を備えて、表示装置を構成した。
【発明の効果】
【０００６】
本発明による表示装置によれば、迅速に所定のボタンに対するタッチ操作を有効化させることできるようになる。
【図面の簡単な説明】
【０００７】
【図１】本発明の最良の実施の形態によるデジタルカメラの背面図である。
【図２】図１に示すデジタルカメラの構成の概略を示すブロック図である。
【図３】図１に示すデジタルカメラのＣＰＵによって行われるロック制御処理の概略を示すフローチャートである。
【図４】図１に示すデジタルカメラのモニタの表示領域に表示される各ボタンの表示態様を異ならせた状態を示す図である。
【図５】本発明の変形例によるデジタルカメラのＣＰＵによって行われるロック制御処理の概略を示すフローチャートである。
【発明を実施するための形態】
【０００８】
次に、本発明による表示装置をデジタルカメラに適用した場合における最良の実施の形態について説明する。
【０００９】
図１は、この最良の実施の形態によるデジタルカメラ１の背面図である。
【００１０】
デジタルカメラ１の筐体１ａの上部には、被写体を撮影する際に操作されるシャッターボタン２が設けられている。シャッターボタン２は、半押しされるとオートフォーカス（Auto Focus）機能を作動させ、全押しされると予め設定されたシャッター速度でシャッターを開かせ、被写体像を所定時間露光させて被写体の撮影を行わせる。筐体１ａの背面にはモニタ３が設けられている。モニタ３は、ＴＦＴ（Thin Film Transistor）液晶からなる表示手段を構成しており、ＴＦＴ液晶の表面にはタッチパネル４が配置されている。操作者によるモニタ３に対するタッチ操作は、タッチパネル４により検出される。本実施形態におけるデジタルカメラ１では、図示しない電源スイッチによる電源のオン，オフの切換操作、およびシャッターボタン２によるレリーズ操作以外の操作は、モニタ３に対するタッチ操作によって行われる。
【００１１】
モニタ３の表示領域内には、デジタルカメラ１の種々の装置機能を作動させる際に操作されるボタンが表示されている。同図に示す例では、表示領域の左側には、上から順に、ロックボタン５、フラッシュボタン６、露出補正ボタン７、セルフタイマボタン８、および撮影モードボタン９が表示されている。ロックボタン５は、表示領域の左側に一列に表示される他のボタン６〜９に比べて、操作者の指が触れにくい表示領域の左上端角に配置されている。また、表示領域の右側下方には、メニューボタン１０および再生ボタン１１が表示されている。
【００１２】
ロックボタン５は、各ボタン６〜１１に対するタッチ操作を非有効化つまり無効にする際に、操作される。フラッシュボタン６は、図示しない閃光装置を発光させて被写体を照明して撮影を行う際や、そのときの閃光装置の発光時間や発光量を調節する際に操作される。露出補正ボタン７は、予め設定された複数段階の露出値から任意の露出値を選択して露出調整を行う際に操作される。セルフタイマボタン８は、セルフタイマ撮影を行う際や、セルフタイマ撮影の作動時間の調整を行う際に操作される。撮影モードボタン９は、予め設定された複数の撮影モードの中から、接写撮影や逆光撮影、夜景撮影といった撮影状況に応じて適切な撮影を行う種々の撮影モードを選択する際に操作される。同図に示す例では、撮影モードボタン９には花の図柄が表示されており、撮影モードは接写撮影モードに設定されている。メニューボタン１０は、デジタルカメラ１の種々の設定を行うためのメニュー画面をモニタ３に表示させる際に操作される。また、再生ボタン１１は、撮影画像をモニタ３に再生表示させる際に操作される。上記各ボタン５〜１１は、タッチ操作されると機能作動手段によるデジタルカメラ１の上述した各装置機能の作動を行わせる、表示領域内に設けられた操作領域を構成している。
【００１３】
また、モニタ３の表示領域の下方における表示「１０Ｍ」は、現在設定されているデジタルカメラ１の記録画素数、表示［０１５］は、既に撮影された枚数が「１５枚」であることを表している。
【００１４】
図２は、図１に示すデジタルカメラ１の構成の概略を示すブロック図である。なお、同図において図１と同一部分には同一符号を付して説明する。
【００１５】
デジタルカメラ１は、ＣＰＵ（Central Processing Unit）２１、ＥＥＰＲＯＭ（Electrically Erasable Programmable Ｒead Ｏnly Ｍemory）などで構成される不揮発性メモリ２２、およびＲＡＭ（Random Access Memory）などで構成されるバッファメモリ２３を備えている。不揮発性メモリ２２には、ＣＰＵ２１が種々の制御を行う際に参照される制御プログラムなどが格納されている。ＣＰＵ２１は、不揮発性メモリ２２に格納されている制御プログラムに従い、バッファメモリ２３を一時記憶作業領域として回路各部の制御を行い、デジタルカメラ１の種々の装置機能を作動させる。ＣＰＵ２１は、デジタルカメラ１の装置機能を作動させる機能作動手段を構成している。
【００１６】
被写体からの光は、光学系を構成するレンズ２４を介してデジタルカメラ１内に取り込まれる。デジタルカメラ１内に取り込まれた被写体光は、撮像部２５の撮像面２５ａ上に被写体像を投影する。撮像部２５は、ＣＣＤ（Charge Coupled Device）やＣＭＯＳ（Complementary Metal Oxide Semiconductor）などからなり、撮像部２５の撮像面２５ａ上に結像した被写体像は、アナログの撮像信号に変換される。変換された撮像信号は、Ａ／Ｄ変換部２６においてデジタル信号に変換される。画像処理部２７は、Ａ／Ｄ変換部２６でデジタル信号に変換された撮像信号をバス２８を介して取得し、取得した撮像信号に対して、ホワイトバランス処理やガンマ補正、圧縮処理などの画像処理を行い、撮影された画像の画像データを生成する。画像処理部２７によって生成された画像データは、ＣＰＵ２１により、バッファメモリ２３に格納されると共に、Ｉ／Ｆ部２９を介して、図示しないスロットに着脱されるメモリカード３０に記録される。
【００１７】
ＣＰＵ２１には、上述したシャッターボタン２が接続されており、操作者によりシャッターボタン２が操作されると、撮像部２５に被写体光が露光されて、被写体像の撮像信号が生成される。また、上述したモニタ３には、撮像部２５の撮像面２５ａで撮像される被写体像がスルー画として表示され、撮影者はこのスルー画で構図を確認する。スルー画が表示されているときにモニタ３の表示領域の任意の部分に撮影者が触れると、触れた位置に表示されている被写体部分に焦点が合うようにオートフォーカス機能が作動すると共に、この被写体部分に対する露出値が適切な値となるようにＡＥ（Auto Exposure）制御が行われる。
【００１８】
また、モニタ３の表示領域に対して行われるタッチ操作がタッチパネル４によって検出されると、タッチパネル４からタッチ操作検出信号が出力され、タッチ操作により入力される情報がＣＰＵ２１に送出される。ロックボタン５が操作されていないロック解除状態では、モニタ３に表示される全てのボタン５〜１１に対するタッチ操作が有効となっているが、ロックボタン５に対するタッチ操作が行われると、ＣＰＵ２１により、ロック解除状態からロック状態に切り換えられる。ロック状態では、全てのボタン５〜１１に対するタッチ操作が無効となる。一方、ロック状態のときに図形「○」をモニタ３の表示領域に描くタッチ操作が行われると、そのタッチ操作はタッチパネル４によって検出され、ＣＰＵ２１により、モニタ３の表示領域に図形の「○」情報がタッチ操作によって入力されたことが認識される。ＣＰＵ２１によりこれが認識されると、ロック状態はロック解除状態に切り換えられる。ロック状態では、各ボタン５〜１１に対するタッチ操作は受け付けられない状態になっているが、タッチパネル４によるモニタ３の表示領域に対するタッチ操作の検出機能は作動しているため、図形「○」をモニタ３の表示領域に描く上記のタッチ操作はロック状態であっても受け付けられる。
【００１９】
ＣＰＵ２１は、タッチパネル４によって検出されるモニタ３の表示領域に対するタッチ操作によって入力される情報を認識する認識手段を構成していると共に、予め登録されている特定の情報、本実施形態では、図形「○」をモニタ３の表示領域に描くタッチ操作によって入力される上述の情報が認識手段によって認識されると、各ボタン５〜１１に対するタッチ操作を有効化させる操作有効性設定手段を構成している。特定の情報は、図示しない特定のボタンを操作して、または、設定メニュー画面を操作して、モニタ３の表示領域に対する任意のタッチ操作によって所望の情報をタッチパネル４によってデジタルカメラ１に入力し、不揮発性メモリ２２に記録させることで設定することができる。本実施形態では、図形「○」をモニタ３の表示領域に描くタッチ操作によりＣＰＵ２１に入力される情報が、特定の情報として不揮発性メモリ２２に記録されている。
【００２０】
ＣＰＵ２１は、タッチパネル４で検出されるモニタ３の表示領域に対する任意のタッチ操作によって入力された情報を認識手段で認識して、特定の情報として不揮発性メモリ２２に記録させる記録制御手段を構成していると共に、認識手段によって認識された情報を記録制御手段によって不揮発性メモリ２２に記録された特定の情報と比較する比較手段を構成している。本実施形態では、上述した操作有効性設定手段は、比較手段による比較の結果が一致した場合に、各ボタン５〜１１に対するタッチ操作を有効化させる処理を行う。
【００２１】
図３は、ＣＰＵ２１によって行われるロック制御処理の概略を示すフローチャートである。
【００２２】
このロック制御処理では、Ｓ１において、ＣＰＵ２１は、現在、ロックボタン５に対するタッチ操作によってロック状態になっているか否かを判別する。この判別が“ＮＯ”である場合、ロック制御処理は終了する。ロック状態になっていてＳ１の判別が“ＹＥＳ”である場合、ＣＰＵ２１は、Ｓ２において、モニタ３の表示領域の表示制御を行う。この表示制御処理では、各ボタン５〜１１のうち、ロックボタン５だけが図４（ａ）に示すように点滅表示され、ロック状態になっていることの報知が行われる。続いて、ＣＰＵ２１は、Ｓ３において、モニタ３の表示領域に対してタッチ操作が行われたか否かを、タッチパネル４からのタッチ操作検出信号に基づいて判別する。この判別が“ＮＯ”である場合、ロック制御処理は終了する。モニタ３の表示領域に対してタッチ操作が行われて、Ｓ３の判別が“ＹＥＳ”である場合、ＣＰＵ２１は、Ｓ４において、タッチパネル４からのタッチ操作検出信号に基づき、タッチ操作によって入力される情報を認識する。次に、ＣＰＵ２１は、Ｓ５において、Ｓ４で認識した情報と、予め不揮発性メモリ２２に記録されている特定の情報との比較を行う。
【００２３】
次に、ＣＰＵ２１は、Ｓ６において、Ｓ５の比較の結果が一致するか否かを判別する。本実施形態では、予め不揮発性メモリ２２に記録されている図形の「○」の情報と、タッチ操作によって入力された情報との比較の結果が一致するか否かを判別する。この比較結果が一致しないでＳ６の判別が“ＮＯ”である場合、ロック制御処理は終了する。また、比較結果が一致してＳ６の判別が“ＹＥＳ”である場合、ＣＰＵ２１は、Ｓ７において、ロック状態からロック解除状態に切り換える処理を行う。Ｓ７の処理が終了すると、ロック制御処理は終了する。
【００２４】
このような本実施形態によるデジタルカメラ１によれば、上述したように、モニタ３の表示領域に対してタッチ操作が行われると、タッチパネル４によってこのタッチ操作が検出され、図３，Ｓ４の処理で、認識手段により、このタッチ操作によって入力される情報が認識される。また、表示領域内に設けられた各ボタン５〜１１に対してタッチ操作が行われると、機能作動手段によって、上述した閃光装置の発光などのデジタルカメラ１の装置機能が作動される。各ボタン５〜１１に対するタッチ操作は、タッチ操作によってモニタ３の表示領域に入力される情報が、認識手段により、予め不揮発性メモリ２２に登録されている特定の情報であるとＳ４〜Ｓ６の処理で認識されると、Ｓ７の処理で、有効化される。このため、モニタ３の表示領域に対するタッチ操作により、各ボタン５〜１１に対するタッチ操作を有効化させることが可能となる。よって、各ボタン５〜１１に対するタッチ操作を有効化させるときに、従来のように、モニタ３の表示領域から離れた位置に設けられた電源スイッチまで指を移動させる必要がなくなり、迅速に各ボタン５〜１１に対するタッチ操作を有効化させることできるようになる。
【００２５】
また、本実施形態では、ロック状態で図形の「○」をモニタ３の表示領域に描くタッチ操作によってＣＰＵ２１に入力される特定の情報が、図３，Ｓ４の処理で認識手段によって認識されると、Ｓ７の処理で、モニタ３の表示領域内に設けられた各ボタン５〜１１に対するタッチ操作が有効化される。このため、モニタ３の表示領域に不用意に指が触れた程度で入力される情報は、認識手段によって特定の情報と認識されなくなり、操作者の指が各ボタン５〜１１に単に触れるなどして操作者の意図しないデジタルカメラ１の装置機能が機能作動手段によって作動してしまうことが、防止されるようになる。
【００２６】
また、本実施形態では、モニタ３の表示領域に対する任意のタッチ操作によって入力された情報は、記録制御手段により、特定の情報として不揮発性メモリ２２に記録される。モニタ３の表示領域に対するタッチ操作によってＣＰＵ２１に入力された情報は、図３，Ｓ５の処理で、不揮発性メモリ２２に記録された特定の情報と比較手段によって比較され、この比較の結果が一致する場合、Ｓ７の処理で、モニタ３の表示領域内に設けられた各ボタン５〜１１に対するタッチ操作が有効化される。このため、撮影者は、予め、任意のタッチ操作によって入力した情報を特定の情報として不揮発性メモリ２２に記録させることにより、所望のタッチ操作で各ボタン５〜１１に対するタッチ操作を有効化させることができるようになる。また、第三者に知られていないタッチ操作によって入力した情報を特定の情報として不揮発性メモリ２２に記録させることにより、第三者によって各ボタン５〜１１に対するタッチ操作が有効化させられてしまうことを防止することが可能になる。
【００２７】
また、本実施形態では、各ボタン５〜１１に対するタッチ操作が、ロックボタン５が操作されて操作有効性設定手段によって非有効化させられると、表示制御手段により、ロックボタン５だけが図４（ａ）に示すように点滅表示され、モニタ３の表示領域の表示態様が異なったものとなる。このため、操作者は、モニタ３の表示領域におけるロックボタン５の表示態様の変化に基づいて、各ボタン５〜１１に対するタッチ操作が操作有効性設定手段によって非有効化させられている状態を、容易に把握することが可能となる。
【００２８】
なお、上記実施形態では、ロック解除状態からロック状態に切り換えられると、図３，Ｓ２の処理で、図４（ａ）に示すようにロックボタン５だけを点滅表示させて、モニタ３の表示領域の表示態様を異ならせる表示制御が行われる場合を説明したが、本発明はこれに限られるものではない。例えば、ロック解除状態からロック状態に切り換えられると、同図（ｂ）に示すように、各ボタン５〜１１のうちロックボタン５の表示色だけを、同図で斜線を付して示すように変化させて、モニタ３の表示領域の表示態様を異ならせるようにしてもよい。また、同図（ｃ）に示すように、各ボタン５〜１１を表示させないようにして、モニタ３の表示領域の表示態様を異ならせるようにしてもよい。また、同図（ｄ）に示すように、ロックボタン５以外の各ボタン６〜１１のコントラストを、破線で示すように変化させて、モニタ３の表示領域の表示態様を異ならせるようにしてもよい。このようにモニタ３の表示領域の表示態様を異ならせるようにした場合であっても、上記実施形態と同様の作用効果が奏される。
【００２９】
また、上記実施形態では、ロックボタン５が操作されることで、各ボタン５〜１１に対するタッチ操作が非有効化されてロックされ、図３，Ｓ４〜Ｓ６の処理で、タッチ操作によって入力される情報が、予め不揮発性メモリ２２に登録されている特定の情報であると認識されると、各ボタン５〜１１に対するタッチ操作が有効化される構成を説明したが、本発明はこれに限られるものではない。例えば、ロックボタン５が操作されることで、各ボタン５〜１１に対するタッチ操作が非有効化される上記構成の代りに、タッチ操作によって入力される情報が、予め不揮発性メモリ２２に登録されている特定の情報であると認識されると、各ボタン５〜１１に対するタッチ操作が非有効化される構成とすることも可能である。
【００３０】
図５は、この変形例の構成における、ＣＰＵ２１により行われるロック制御処理の概略を示すフローチャートである。本変形例では、タッチ操作によって入力される情報が、予め不揮発性メモリ２２に登録されている特定の情報であると認識されると、各ボタン５〜１１に対するタッチ操作が有効化および非有効化される。なお、本変形例では、上記実施形態で説明したロックボタン５は不要となり、モニタ３の表示領域に表示されることはない。
【００３１】
このロック制御処理では、Ｓ１において、ＣＰＵ２１は、モニタ３の表示領域に対してタッチ操作が行われたか否かを、タッチパネル４からのタッチ操作検出信号に基づいて判別する。この判別が“ＮＯ”である場合、ロック制御処理は終了する。また、モニタ３の表示領域に対してタッチ操作が行われて、Ｓ１の判別が“ＹＥＳ”である場合、ＣＰＵ２１は、Ｓ２において、タッチパネル４からのタッチ操作検出信号に基づき、タッチ操作によって入力される情報を認識する。次に、ＣＰＵ２１は、Ｓ３において、Ｓ４で認識した情報と、予め不揮発性メモリ２２に記録されている特定の情報との比較を行う。
【００３２】
次に、ＣＰＵ２１は、Ｓ４において、タッチ操作によって入力される情報が、予め不揮発性メモリ２２に記録されている図形の「×」の情報に一致するか否かを判別する。図形「×」をモニタ３の表示領域に描くタッチ操作が行われていて、Ｓ４の判別が“ＹＥＳ”である場合、ＣＰＵ２１は、Ｓ５においてロック状態を作動させ、各ボタン５〜１１に対するタッチ操作を非有効化させる。一方、Ｓ４の判別が“ＮＯ”である場合、ＣＰＵ２１は、Ｓ６において、タッチ操作によって入力される情報が、予め不揮発性メモリ２２に記録されている図形の「○」の情報に一致するか否かを判別する。図形「○」をモニタ３の表示領域に描くタッチ操作が行われていて、Ｓ６の判別が“ＹＥＳ”である場合、ＣＰＵ２１は、Ｓ７において、ロック状態からロック解除状態に切り換える処理を行う。図形「○」をモニタ３の表示領域に描くタッチ操作が行われていなくて、Ｓ６の判別が“ＮＯ”である場合、または、Ｓ５もしくはＳ７の処理が終了すると、ロック制御処理は終了する。
【００３３】
本変形例によれば、各ボタン６〜１１に対するタッチ操作は、タッチ操作によって入力される情報が、予め不揮発性メモリ２２に登録されている図形の「×」の情報に一致する場合には、Ｓ５の処理で非有効化され、予め不揮発性メモリ２２に登録されている図形の「○」の情報に一致する場合には、Ｓ７の処理で有効化される。このため、本変形例によっても、モニタ３の表示領域に対するタッチ操作により、各ボタン６〜１１に対するタッチ操作を有効化させたり非有効化させることが可能となる。よって、各ボタン６〜１１に対するタッチ操作を有効化させるときに、従来のように、モニタ３の表示領域から離れた位置まで指を移動させる必要がなくなり、迅速に各ボタン６〜１１に対するタッチ操作を有効化させることできるようになる。
【００３４】
また、上記実施形態や上記変形例では、図形「○」の情報や図形「×」の情報を特定の情報とした場合を説明したが、本発明はこれに限られるものではない。例えば、予め定められた平仮名の「あ」や「い」などの文字情報や種々の記号情報、モニタ３の対角線上で一定の長さを有する線分などの種々の図形情報などを、特定の情報としても構わない。また、これら種々の文字情報や記号情報、図形情報に、文字や記号、図形の大きさの情報や、描く速さの情報、描き順の情報を加えた情報を、特定の情報とすることも可能である。
【００３５】
上記の構成によれば、予め定められた文字、図形もしくは記号の少なくともいずれかをモニタ３の表示領域に描くタッチ操作によって入力される情報が、認識手段によって認識されると、モニタ３の表示領域内に設けられた各ボタン５〜１１に対するタッチ操作が有効化または非有効化される。または、上記予め定められた文字、図形もしくは記号の少なくともいずれかを、予め定められた大きさ、速さもしくは描き順でモニタ３の表示領域に描くタッチ操作によって入力される情報が、認識手段によって認識されると、モニタ３の表示領域内に設けられた各ボタン５〜１１に対するタッチ操作が有効化または非有効化される。このため、これらの構成においても、上記実施形態や上記変形例と同様、モニタ３の表示領域に不用意に指が触れた程度で入力される情報は、認識手段によって特定の情報と認識されなくなり、操作者の指が各ボタン５〜１１に単に触れるなどして操作者の意図しないデジタルカメラ１の装置機能が機能作動手段によって作動してしまうことが、防止されるようになる。
【００３６】
また、上記実施形態および上記変形例では、予め定められた文字、図形もしくは記号の少なくともいずれかをモニタ３の表示領域に描くタッチ操作が行われると、各ボタン５〜１１に対するタッチ操作が有効化または非有効化される場合を説明したが、本発明はこれに限られるものではない。例えば、予め定められた文字、図形もしくは記号の少なくともいずれかをモニタ３の表示領域に描くタッチ操作の代りに、モニタ３の表示領域の複数の箇所に対して同時にタッチ操作が行われると、各ボタン５〜１１に対するタッチ操作が有効化または非有効化される構成としても構わない。また、ロックボタン５に対するタッチ操作が行われながら、予め定められた文字、図形もしくは記号の少なくともいずれかをモニタ３の表示領域に描くタッチ操作が行われると、各ボタン５〜１１に対するタッチ操作が有効化または非有効化される構成とすることも可能である。
【００３７】
また、上記実施形態および上記変形例では、予め不揮発性メモリ２２に、ロック解除状態をロック状態に切り換える際やロック状態をロック解除状態に切り換える際のタッチ操作により入力される図形「○」や「×」などの特定の情報が、いずれも、不揮発性メモリ２２に１種類だけ記録されている場合を説明したが、不揮発性メモリ２２には、これら各タッチ操作により入力される特定の情報が複数種類記録される構成とすることも可能である。
【００３８】
例えば、記録制御手段が、複数種類の特定の情報をデジタルカメラ１の複数種類の各装置機能に関連付けて不揮発性メモリ２２に記録させ、比較手段が、認識手段によって認識された情報を不揮発性メモリ２２に記録された複数種類の各特定の情報と比較し、操作有効性設定手段が、比較手段による比較の結果が一致した種類の特定の情報に関連付けて不揮発性メモリ２２に記録されたデジタルカメラ１の装置機能を作動させる各ボタン５〜１１に対するタッチ操作を、有効化または非有効化させる構成とすることも可能である。
【００３９】
上記の構成によれば、モニタ３の表示領域に対するタッチ操作によって入力された情報は、不揮発性メモリ２２に記録された複数種類の各特定の情報と比較される。この比較結果が一致する場合、一致した種類の特定の情報に関連付けて不揮発性メモリ２２に記録されたデジタルカメラ１の装置機能を作動させる各ボタン５〜１１について、タッチ操作が有効化または非有効化される。このため、操作者は、不揮発性メモリ２２に記録されている複数種類の特定の情報の中から選択した情報に対応するタッチ操作を行うことにより、所望のデジタルカメラ１の装置機能を作動させる各ボタン５〜１１に対するタッチ操作を有効化または非有効化させることができるようになる。例えば、ひらがなの「あ」の文字をモニタ３の表示領域に描くタッチ操作が行われると、フラッシュボタン６に対するタッチ操作だけを有効化または非有効化させ、ひらがなの「い」の文字をモニタ３の表示領域に描くタッチ操作が行われると、再生ボタン１１に対するタッチ操作だけを有効化または非有効化させる。このように、上記の構成によれば、異なるタッチ操作を行うことにより、各ボタン５〜１１の有効化または非有効化を個別に設定できるようになる。
【００４０】
また、上記変形例では、ロック解除状態における図５，Ｓ４の処理で、タッチ操作に基づいて図形「×」の特定の情報が認識手段によって認識されると、操作有効性設定手段が、Ｓ５の処理で、各ボタン６〜１１に対するタッチ操作を非有効化させる場合を説明したが、本発明はこれに限られるものではない。例えば、操作有効性設定手段が、タッチパネル４によって検出されるタッチ操作によって入力される情報が認識手段によって認識されずに所定時間が経過すると、各ボタン６〜１１に対するタッチ操作を非有効化させる構成としてもよい。
【００４１】
この構成によれば、モニタ３の表示領域に対するタッチ操作によって入力される情報が認識手段により認識されずに所定時間が経過すると、各ボタン６〜１１に対するタッチ操作が有効化した状態から非有効化した状態に切り換えられる。このため、モニタ３の表示領域に対するタッチ操作によって特定の情報が入力されない場合であっても、所定時間の経過によって、各ボタン６〜１１に対するタッチ操作が有効化した状態から非有効化した状態に自動的に切り換えられるようになり、タッチ操作が有効化した状態が継続することにより電力が無駄に消費されるのが防止されるようになる。また、各ボタン６〜１１に対するタッチ操作が有効化した状態のままになり、第三者によってタッチ操作が行われてデジタルカメラ１の装置機能が作動させられてしまうことが、防止されるようになる。
【００４２】
また、上記実施形態では、モニタ３の表示領域にロックボタン５を表示し、ロック解除状態でロックボタン５がタッチ操作されると、ロック解除状態からロック状態に切り換えられる場合を説明したが、モニタ３の表示領域にロックボタン５を表示せず、電源スイッチなどのモニタ３の表示領域以外の部分が操作されることで、ロック解除状態からロック状態に切り換えられる構成とすることも可能である。
【００４３】
また、上記実施形態では、モニタ３の表示領域に操作領域として７個のボタン５〜１１が表示されている場合を説明したが、操作領域として表示されるボタンの種類や個数、配置などは適宜変更可能である。
【００４４】
また、上記実施形態では、スルー画が表示されているときにモニタ３の表示領域の任意の部分に対してタッチ操作が行われると、オートフォーカス機能やＡＥ機能が作動するが、このタッチ操作によるオートフォーカス機能やＡＥ機能の作動を、操作有効性設定手段によって有効化または非有効化させるようにしてもよい。
【産業上の利用可能性】
【００４５】
上記実施形態においては、本発明による表示装置をデジタルカメラに適用した場合について説明したが、タッチパネルを配置した表示手段を備えたデジタルビデオカメラや、カメラ付き携帯電話機などの種々の撮影装置に本発明を適用することも可能である。このような撮影装置に本発明を適用した場合においても、上記実施形態と同様の作用効果が奏される。
【符号の説明】
【００４６】
１…デジタルカメラ、３…モニタ、４…タッチパネル、５…ロックボタン、６…フラッシュボタン、７…露出補正ボタン、８…セルフタイマボタン、９…撮影モードボタン、１０…メニューボタン、１１…再生ボタン、２１…ＣＰＵ、２２…不揮発性メモリ
【図１】
2014063541.tif 000003
【図２】
2014063541.tif 000004
【図３】
2014063541.tif 000005
【図４】
2014063541.tif 000006
【図５】
2014063541.tif 000007